(57)【要約】【課題】装着感に優れ且つ吸収体が変形し難く吸収体の吸収性能が低下しない吸収性物品を提供すること。【解決手段】本発明の生理用ナプキン１は、液透過性の表面シート２、通気性及び液不透過性を有する裏面シート３及び両シート間に介在された液保持性の吸収体４を備えており、実質的に縦長であり、シート５１が多重に折り返されて蛇腹状に形成されたサイド部材５が、吸収体４の両側部それぞれに沿って配されている。【選択図】図１
2008110029.tif 000002
【特許請求の範囲】
【請求項１】
表面シート、裏面シート及び両シート間に介在された吸収体を具備しており、実質的に縦長の吸収性物品であって、
シートが多重に折り返されて蛇腹状に形成されたサイド部材が、前記吸収体の両側部それぞれに沿って配されている吸収性物品。
【請求項２】
多重に折り返された前記シートの複数の折り返しの山が、前記吸収性物品の幅方向に多列に並んでいる請求項１記載の吸収性物品。
【請求項３】
前記サイド部材が、前記表面シートと前記裏面シートとの間に配されている請求項１又は２記載の吸収性物品。
【請求項４】
前記サイド部材が、前記吸収体の長手方向の全体に亘って配されている請求項１〜３の何れかに記載の吸収性物品。
【請求項５】
前記サイド部材は、多重に折り返された前記シートの複数の折り返しの山が部分的に接合されて一体化された接合部を有している請求項１〜４の何れかに記載の吸収性物品。
【請求項６】
前記接合部が、前記サイド部材の長手方向一端部より吸収性物品内方に位置しており、該サイド部材は、該接合部を基点として該長手方向一端部に向けて末広がりに拡がった形状を有している請求項５記載の吸収性物品。
【発明の詳細な説明】
【技術分野】
【０００１】
本発明は、吸収性物品、特に生理用ナプキン、失禁パッド等の吸収性物品に関する。
【背景技術】
【０００２】
従来の吸収性物品において、夜用の生理用ナプキン等は、吸収性能を向上させるため、吸収体が比較的大きく形成されている。この種の吸収性物品は、吸収体の寸法が大きいために、装着時に着用者の股間部における違和感が大きかった。また、この種の吸収性物品は、股間部により圧縮力を受けて変形し、吸収体のヨレ等の変形による防漏性の低下する場合があった。
【０００３】
また、従来、吸収性物品は、ヨレや漏れ防止性を向上させるために種々改良が施され
ており、例えば、特許文献１には、所定箇所に弾性体を配置し、該弾性体の圧縮に対する弾性復元力を利用してヨレを防止する吸収性物品が提案されている。
【０００４】
【特許文献１】昭６３−２０３１５６号公報
【発明の開示】
【発明が解決しようとする課題】
【０００５】
しかし、特許文献１に記載の方法は、圧縮に対する弾性復元力を利用しているため、ヨレを発生する部位すべてに配置しなければ効果が低く、そのため違和感を覚えやすいという問題がある。
【０００６】
従って、本発明の目的は、装着感に優れ且つ吸収体が変形し難く吸収体の吸収性能が低下しない吸収性物品を提供することにある。
【課題を解決するための手段】
【０００７】
本発明は、を提供することにより、上記目的を達成したものである。
【発明の効果】
【０００８】
本発明の吸収性物品によれば、装着感に優れ且つ吸収体が変形し難く吸収体の吸収性能が低下しない。
【発明を実施するための最良の形態】
【０００９】
以下、本発明の吸収性物品をその好ましい実施形態に基づいて、図面を参照しながら説明する。
【００１０】
第１実施形態の吸収性物品１は生理用ナプキン（以下、単にナプキンともいう）であり、図１〜図４に示すように、液透過性の表面シート２、液不透過性を有する裏面シート３及び両シート間に介在された液保持性の吸収体４を有しており、実質的に縦長である。
また、第１実施形態のナプキン１は、シート５１が多重に折り返されて蛇腹状に形成されたサイド部材５が、吸収体４の両側部それぞれに沿って配されている。
【００１１】
縦長のナプキン１は、その長手方向（ナプキン長手方向Ｌ）が前方部Ａ、長手方向中央領域である排泄部対向部Ｂ（着用者の液排泄部に対向配置される前記排泄部対向領域を幅方向中央に有する部分）及び後方部Ｃに区分される。
【００１２】
尚、本明細書において、長手方向は、当該部材の長辺と平行な方向であり、ナプキン１についていえば、図２において矢標Ｌで示す方向（ナプキン長手方向Ｌ）である。また、以下、幅方向という語句を使用することがあるが、これは、当該部材の前記長手方向と直交する方向であり、ナプキン１についていえば、図２において矢標Ｓで示す方向（ナプキン幅方向Ｓ）である。
【００１３】
表面シート２、裏面シート３及び吸収体４それぞれは、縦長であり、その長手方向がナプキン長手方向Ｌと一致している。吸収体４は、裏面シート３とホットメルト型接着剤等の公知の接合手段により接合され、表面シート２と裏面シート３との間に狭持固定されている。
【００１４】
吸収体４は、図３に示すように、上層吸収体４１と下層吸収体４２との積層構造を有している。上層吸収体４１及び下層吸収体４２それぞれは、縦長であり、その長手方向がナプキン長手方向Ｌと一致している。
【００１５】
下層吸収体４２の寸法は、裏面シート３よりも小さく形成されている。上層吸収体４１の寸法は、長さ及び幅それぞれが、下層吸収体４２よりも小さく形成されている。上層吸収体４１は、下層吸収体４２の幅方向の中央部に積層されており、ナプキン１の中高部を形成している。詳述すると、上層吸収体４１は、ナプキン１の排泄部対向部Ｂにおけるナプキン幅方向Ｓの中央部に配されており、該上層吸収体４１の前後端部それぞれは、前方部Ａ及び後方部Ｃそれぞれへ延出している。上層吸収体４１は、ナプキン着用時に着用者の液排泄部に対向して、表面シート２を通った体液を受ける部位である。
【００１６】
表面シート２及び裏面シート３それぞれは、吸収体４の長手方向前後端それぞれから延出し、その延出部分において互いにヒートシール等の公知の接合方法により接合されて、エンドシール部を形成している。また、表面シート２及び裏面シート３それぞれは、吸収体４の幅方向両端それぞれから延出し、同様に接合されている。
【００１７】
表面シート２及び裏面シート３の吸収体４の幅方向両端それぞれからの前記延出部分は、排泄部対向部Ｂにおいてナプキン幅方向Ｓの外方に向かって大きく張り出しており、この張り出し部分における両シート２及び３が互いに接合されて、一対のウイング部６，６を形成している。ナプキン１は、ウイング部６の非肌当接面側の面に、従来のウイング部付きのナプキンと同様にずれ止め材（図示省略）を有しており、該ずれ止め材を介してショーツ等の下着の股間部分に固定して用いられる。
【００１８】
尚、本明細書において、非肌当接面は、平面状に拡げた吸収性物品（ナプキン）の両面のうち、着用時にショーツ等の下着側（着用者の肌側とは反対側）に向けられる面である。また、以下、肌当接面という語句を使用することがあるが、これは、平面状に拡げた吸収性物品の両面のうち、着用時に着用者の肌側に向けられる面である。
【００１９】
また、表面シート２及び裏面シート３の吸収体４の幅方向両端それぞれからの前記延出部分は、後方部Ｃにおいてもナプキン幅方向Ｓの外方に向かって大きく張り出しており、この張り出し部分における両シート２及び３が互いに接合されて、一対のサイドフラップ部７，７を形成している。
【００２０】
ナプキン１の肌当接面側には、図１に示すように、溝８が設けられている。溝８は、ナプキン長手方向Ｌに延びる一対のエンボス溝（長手方向エンボス溝）、及び該長手方向エンボス溝の長手方向の両端部において、ナプキン幅方向Ｓに延びる円弧状の２重のエンボス溝（幅方向エンボス溝）とから形成されている。溝８によって、表面シート２及び下層吸収体４２が接合されている。また、上層吸収体４１は、一対の前記長手方向エンボス溝と２重の前記幅方向エンボス溝のうちの内側のエンボス溝とにより囲まれている。
【００２１】
以下に、一対のサイド部材５，５について更に説明する。
一対のサイド部材５，５それぞれは、不織布からなるシート５１が多重に折り返されて蛇腹状に形成されたものである。このように蛇腹状に形成された一対のサイド部材５，５それぞれは、図１及び図２に示すように、縦長であり、その長手方向をナプキン長手方向Ｌと一致させて、吸収体４の側部に沿って配されている。具体的には、第１実施形態においては、サイド部材５は吸収体４の側縁に沿って配されており、サイド部材５と吸収体４とは実質的に重なっていない。但し、サイド部材５と吸収体４とは多少重なっていてもよく、またサイド部材５と吸収体４とは連結又は接合されていてもよい。
【００２２】
第１実施形態において、一対のサイド部材５，５それぞれは、その長手方向に亘って、略一定の幅を有している。
一対のサイド部材５，５それぞれは、図１〜３に示すように、吸収体４の長手方向の全体に亘って、表面シート２と裏面シート３との間に配されている。また、一対のサイド部材５，５それぞれの高さは、下層吸収体４２の厚みと略同じである。
一対のサイド部材５，５それぞれは、その両側部のうち、ナプキン幅方向Ｓ内方寄りの側部が吸収体４の一方の側縁部と当接しており、ナプキン幅方向Ｓ外方寄りの側部が表面シート２により覆われている。
【００２３】
第１実施形態においては、図３に示すように、多重に折り返されたシート５１の複数の折り返しの山５１ａ、５１ａ・・・が、ナプキン幅方向Ｓに多列に並んでいる。即ち、シート５１は、吸収体４の厚み方向を往復するように（厚み方向にジグザグに振動するように）多重に折り返されている。サイド部材５は、多重に折り返されている各シート５１の部分同士が、少なくとも部分的に離間していることが、サイド部材５に良好なクッション性を与える上で好ましい。サイド部材５がこのようなクッション性を有する上で、シート５１を形成する不織布の坪量は、好ましくは５〜１００ｇ／ｍ2、更に好ましくは１０〜５０ｇ／ｍ2である。
【００２４】
また、サイド部材５が、ナプキン幅方向Ｓに良好なクッション性を有する観点から、シート５１の折り返し回数は、好ましくは２〜４０回、更に好ましくは４〜２０回である。
【００２５】
前述した構成を有する一対のサイド部材５，５それぞれは、複数の折り返しの山５１ａ、５１ａ・・・の配列方向、即ちナプキン幅方向Ｓにクッション性を有しており、ナプキン１がナプキン幅方向Ｓの外方から圧縮力を受けた場合には、該サイド部材５はナプキン幅方向Ｓの内方に向って収縮して、クッション性を示す。その結果、第１実施形態のナプキン１は、吸収体４へ該圧縮力が直接かからないようになっている。
【００２６】
一対のサイド部材５，５それぞれについて、更に詳述すると、サイド部材５は、圧縮した後に外力をとり除いた際に、戻る性質がある。
サイド部材５は、ナプキン幅方向Ｓ（複数の折り返しの山５１ａ、５１ａ・・・の配列方向）において、以下の方法に規定される回復率が７０％以上、特に８０％以上であることが好ましい。回復率は、テンシロンＲＴＣ−１２１０（株式会社オリエンテック製）の圧縮試験設定において、直径１００ｍｍの円形圧縮具によってサイド部材５を吸収性物品の厚み方向にサイド部材の厚みＴ0の５０％厚みにまで圧縮し、圧縮力解放1分後の回復厚みＴ1を次の（式１）にて算出した値である。（式１）回復率（％）＝Ｔ1／Ｔ0×１００
測定は、圧縮速度１０ｍｍ／分、解放速度１０ｍｍ／分で行い、異なるサンプルによる３回の測定結果を平均する。また、測定にはサンプルである吸収性物品をそのまま使用することが好ましいが、円形圧縮具の中心が左右どちらかのサイド部材５の幅方向中心線と略一致させて行なう必要があるため、中高部吸収体等の他の構成部材の影響がおよぶ場合には、影響する部材を除去して測定する。
【００２７】
一対のサイド部材５，５それぞれは、その低反発性、低復元性から耐圧分散性に優れている。このようなサイド部材５を、吸収体４の両側縁部に配することにより、ナプキン着用時に、図４に示すように、着用者の両太股の付け根内側により左右から幅方向内方へ圧縮力を受けた時に、ナプキン１の幅方向の変形を専らサイド部材５の変形により吸収して、吸収体４が変形することを防止する。第１実施形態のナプキン１においては、一対のサイド部材５，５それぞれを、ナプキン１の少なくとも排泄部対向部Ｂに配しており、最も体液を吸収保持する吸収体４の部分変形を防止している。
【００２８】
また、一対のサイド部材５，５それぞれは、疎水性を有していることが、吸収体４から本体幅方向の外方への体液の移動を防いで、横漏れを防止する上で好ましい。
【００２９】
サイド部材５を形成する材料（シート５１）としては、不織布、フィルムや発泡シートが使用できるが、反発性や復元性の点から不織布と発泡シートが好ましい。不織布としては、サーマルボンド不織布、ケミカルボンド不織布、スパンレース不織布、エアレイド不織布、湿式不織布、エアスルー不織布、メルトブロー、ニードルパンチ不織布、スパンボンド不織布等を用いることができ、発泡シートとしては、ポリエチレンやポリプロピレンによるオレフィン系発泡シートやウレタン系発泡シートの樹脂膜破砕タイプを用いることができる。特にカード法やエアレイド法によりウエブ化され繊維交点で融着されているエアスルー不織布が、クッション性及び反発弾性率の観点からが好ましい。
この不織布を構成する繊維としては、ポリエチレンや変性ポリエチレンを融着成分とし、ポリプロピレンやポリエステルと組み合わせた各種複合繊維、ポリプロピレンやポリエステルの単繊維、レーヨン繊維、架橋セルロース繊維等を用いることができ、特に繊維ウエブにポリプロピレンやポリエステル等の合成繊維を含んでいることが、クッション性、反発弾性率及び疎水性の観点から好ましい。
【００３０】
第１実施形態のナプキン１の寸法等は、その具体的な用途に応じて、適宜設計されることが好ましい。また、下層吸収体４２、サイド部材５の寸法等も、ナプキン１の寸法及びその具体的な用途に応じて、適宜設計されることが好ましい。
【００３１】
例えば、ナプキン１を、経血の量が多い場合又は夜間等の長時間の使用に用いる場合には、ナプキン１は以下のような寸法に設計されることが好ましい。
ナプキン１の吸収性本体１０の寸法は、長さが５〜６０ｃｍ、特に１５〜４０ｃｍ、幅が２〜１５ｃｍ、特に３〜８ｃｍであることが好ましい。
そして、下層吸収体４２の幅と、一対のサイド部材５，５それぞれの幅との比は、１０：１〜３：２、特に８：１〜５：２であることが好ましい。
【００３２】
第１実施形態のナプキン１を構成する表面シート２、裏面シート３、上層吸収体４１及び下層吸収体４２の形成材料としては、従来の吸収性物品に用いられている材料を用いることができる。裏面シート３は更に通気性を有していてもよい。
【００３３】
前述した第１実施形態のナプキン１によれば、シート５１が多重に折り返されて蛇腹状に形成された一対のサイド部材５，５が、それぞれ、吸収体４の両側部に沿って配されているため、ナプキン着用時の違和感が少なく、装着感に優れており、且つ吸収体が変形し難く吸収体の吸収性能が低下し難い。特に、第１実施形態のナプキン１は、低反発性の一対のサイド部材５，５それぞれが、排泄部対向部Ｂを含めて、吸収体４の長手方向の全体に亘って配されているので、ナプキン着用時の違和感が極めて少なく、また吸収体４の変形が、排泄部対向部Ｂと共に前方部Ａ及び後方部Ｃにおいても防止されており、吸収体４のヨレ等の変形による防漏性の低下が特に少なく、横漏れ防止効果が高い。
また、一対のサイド部材５，５それぞれは、上述したように疎水性を有している場合は、横漏れ防止性が更に高められている。
【００３４】
次に、本発明の第２及び第３実施形態を、図５〜図９を参照しながら説明する。第２実及び第３施形態ついて、特に説明しない点については、第１実施形態に関して詳述した説明が適宜適用される。また、図５〜図９において、図１〜図４と同じ部材に同じ符号を付してある。
【００３５】
第２実施形態のナプキン１は、図５〜図８に示すように、一対のサイド部材５，５が、吸収体４の長手方向の全体に亘って、表面シート２の肌当接面側に配されている。一対のサイド部材５，５それぞれは、縦長であり、その長手方向をナプキン長手方向Ｌと一致させて、吸収体４の側部に沿って配されており、その非肌当接面側が、接着剤、ヒートシール等の公知の接合手段により表面シート２と接合されている。一対のサイド部材５，５それぞれの高さは、図６に示すように、上層吸収体４１と下層吸収体４２とを重ねた高さ（吸収体４の最大厚み）と略同じである。
また、第２実施形態のナプキン１における一対のサイド部材５，５それぞれは、多重に折り返されたシート５１の複数の折り返しの山５１ａ、５１ａ・・・が部分的に接合されて一体化された接合部５２を有している。第２実施形態に係るサイド部材５は、接合部５２を有しているが、全体として蛇腹状の形状を保持している。
【００３６】
更に説明すると、接合部５２は、図５に示すように、各サイド部材５につき二つ形成されている。即ち、その一つは、サイド部材５の長手方向一端部５ａ（ナプキン１の後方部Ｃ側寄りの長手方向一端部５ａ）よりナプキン１の内方に位置する接合部５２Ａであり、他の一つは、サイド部材５の長手方向他端部５ｂ（ナプキン１の前方部Ａ側寄りの長手方向他端部５ｂ）の近傍に位置する接合部５２Ｂである。接合部５２Ａの形成位置は、詳しくは、サイド部材５の長手方向の中央部である。
【００３７】
接合部５２（５２Ａ、５２Ｂ）は、図７及び図８に示すように、シート５１の複数の折り返しの山５１ａ、５１ａ・・・それぞれにおけるサイド部材５の高さ方向の中央部に、接合手段５３を所定の大きさで設けて、これらの山を接合一体化させることにより形成されている。接合手段５３としては、接着剤、ヒートシール等の公知の接合手段を用いることができる。
【００３８】
一対のサイド部材５，５それぞれは、図５に示すように、接合部５２Ａを基点としてサイド部材５の長手方向一端部５ａに向けて末広がりに拡がった形状を有している。即ち、サイド部材５は、その長手方向の中央部を基点として、ナプキン１の後方部Ｃ寄りの部分が扇形状に拡がっている。
【００３９】
接合部５２Ａとサイド部材５の長手方向一端部５ａとの間の距離は、該サイド部材５の長手方向の全長に対して、好ましくは２０〜７０％、更に好ましくは５０〜６０％である。接合部５２Ａと長手方向一端部５ａとの間の距離が、サイド部材５の長手方向の全長に対して斯かる割合であることにより、ヒップ部に当たる長さが適切となり、ヒップ部における横漏れ防止という効果が奏される。
【００４０】
前述した第２実施形態のナプキン１によれば、第１実施形態と同様に、ナプキン着用時の違和感が少なく、装着感に優れており、且つ吸収体が変形し難く吸収体の吸収性能が低下し難いという効果が奏される。
また、後方部Ｃにおいて、ナプキン１の幅方向に扇形状に拡がっているサイド部材５の部分が、ナプキン着用時に、着用者のヒップ部と広く直接当接して、横漏れを効果的に防止する。即ち、着用者のヒップ部と当接する部分が扇形状に拡がっていることにより、該部分が扇形状に拡がっていない場合に比して、経血等が外に流れ出すまでの距離が長くなるため、経血等がナプキンの外方に流れ出しにくくなり、この結果、横漏れが効果的に防止される。このような漏れ防止性をより効果的にする観点から、各サイド部材５における扇形状に拡がった部分（各サイド部５における接合部５２Ａと長手方向一端部５ａとの間に挟まれた部分）は、親水性や吸水性を有していてもよい。
また、第２実施形態のナプキン１に係る一対のサイド部材５，５それぞれは、接合部５２により、シート５１が多重に折り返された状態が保持されるので、ナプキン１の加工性に優れている。
【００４１】
尚、第２実施形態のナプキン１を個装する際には、ナプキン１をその長手方向に折り畳む必要があるが、この場合、折り畳むときに形成される折り線が、接合部５２Ａと一致するように、ナプキン１を長手方向に折り畳むことが好ましい。
【００４２】
本発明の好ましい第３実施形態のナプキン１は、図９に示すように、一対のサイド部材５，５それぞれが、排泄部対向部Ｂに配されている。一対のサイド部材５，５それぞれの後端部は、後方部Ｃに延出しており、該後方部Ｃの排泄部対向部Ｂ寄りの位置に配されている。
また、一対のサイド部材５，５それぞれは、その前後端部に接合部５２が設けられていて、サイド部材５全体としてシート５１が蛇腹状に折り返された状態が保持されている。本実施形態では、一対のサイド部材５，５それぞれは、表面シート２と裏面シート３との間に配されている。
また、第３実施形態のナプキン１は、下層吸収体４２の両側部が、排泄部対向部Ｂにおいて、ナプキン幅方向Ｓの内方に括れており、この括れた部分に、サイド部材５が配されている。その他の構成は、前述した第１実施形態と同様である。
【００４３】
第３実施形態のナプキン１によれば、第１実施形態と同様に、ナプキン着用時の違和感が少なく、装着感に優れており、且つ吸収体が変形し難く吸収体の吸収性能が低下し難いという効果が奏される。
また、第３実施形態のナプキン１は、下層吸収体４２の寸法が大きく、液の吸収保持性能が高められている。また、ナプキン着用時に、着用者の太ももに挟まれる下層吸収体４２の部分を括れた形状とし且つ該括れた部分に一対のサイド部材５，５を配することにより、装着性を更に向上している。
【００４４】
本発明の吸収性物品は、前述した実施形態に制限されることなく、本発明の趣旨を逸脱しない限り適宜変更が可能である。
例えば、本発明の吸収性物品は、前述した各実施形態のナプキン１において、一対のサイド部材５，５それぞれにおける多重に折り返された前記シート５１の複数の折り返しの山５１ａ、５１ａ・・・の配列方向が、ナプキン１の幅方向と一致していた（複数の折り返しの山５１ａ、５１ａ・・・が、ナプキン１の幅方向Ｓに多列に並んでいた）が、サイド部材５の折り返し線がナプキン長手方向Ｌに沿っていれば良く、一対のサイド部材５，５それぞれにおける多重に折り返された前記シート５１の複数の折り返しの山５１ａ、５１ａ・・・の配列方向は、ナプキン１（吸収体４）の厚み方向と一致していてもよい。即ち、複数の折り返しの山５１ａ、５１ａ・・・が、ナプキン１の厚み方向に多列に並んでいてもよい。
【００４５】
また、一対のサイド部材５，５それぞれを形成するシートは、不織布であったが、樹脂製のフィルム又は低反発ウレタンフォーム等の発泡高分子体からなるシートであっても良い。また、前記実施形態では吸収体は２層構成であったが吸収体は単層でもよい。また、吸収体とサイド部材は表面材によって巻き上げられた構成でもよい。さらに、ギャザーが表面材に固定されていてもよい。
【００４６】
また、一対のサイド部材５，５それぞれは、図１０に示すように、その長手方向の前後端部及び中央部に接合部５２を設けて、サイド部材５全体としてシート５１の蛇腹状の形状が保持されていてもよい。
【００４７】
更に、サイド部材５は、図１１（ａ）に示すように、表面シート２をナプキン幅方向Ｓの外方に延出させて形成し、ウイング部５を形成するウイング部形成シート６１により覆われていてもよい。また、サイド部材５は、図１１（ｂ）に示すように、ウイング部５を形成するウイング部形成シート６１を、ナプキン幅方向Ｓの内方に延出させて形成し、表面シート２により覆われていてもよい。
【００４８】
本発明の吸収性物品は、生理用ナプキンであっても良いが、パンティライナー又は失禁パッド等であってもよい。
【００４９】
前述した一の実施形態における要件は、適宜、実施形態間で相互に置換可能である。
【図面の簡単な説明】
【００５０】
【図１】図１は、本発明の吸収性物品としての生理用ナプキンの第１実施形態を示す部分破断斜視図である。
【図２】図２は、図１の生理用ナプキンの表面シートを取り除いた状態の平面図である。
【図３】図３は、図１の生理用ナプキンのＸ−Ｘ線拡大断面図である。
【図４】図４は、図１の生理用ナプキンの装着状態を模式的に示す図である。
【図５】図５は、本発明の吸収性物品としての生理用ナプキンの第２実施形態を示す平面図である。
【図６】図６は、図５の生理用ナプキンのＹ−Ｙ線拡大断面図である。
【図７】図７は、図５の生理用ナプキンのサイド部材の側面図である。
【図８】図８は、図５のＺ−Ｚ線拡大断面図である。
【図９】図９は、本発明の吸収性物品としての生理用ナプキンの第３実施形態を示す図２に相当する平面図である。
【図１０】図１０は、本発明の吸収性物品としての生理用ナプキンの他の実施形態を示す図２に相当する平面図である。
【図１１】図１１（ａ）及び（ｂ）は、それぞれ本発明の吸収性物品としての生理用ナプキンの更に他の実施形態を示す断面図である。
【符号の説明】
【００５１】
１        生理用ナプキン（吸収性物品）
１０    吸収性本体
２        表面シート
３        裏面シート
４        吸収体
４１    上層吸収体
４２    下層吸収体
５        サイド部材
５１    シート
５２    接合部
６        ウイング部
７        サイドフラップ部
８        エンボス溝
Ａ        前方部
Ｂ        排泄部対向部
Ｃ        後方部
【図１】
2008110029.tif 000003
【図２】
2008110029.tif 000004
【図３】
2008110029.tif 000005
【図４】
2008110029.tif 000006
【図５】
2008110029.tif 000007
【図６】
2008110029.tif 000008
【図７】
2008110029.tif 000009
【図８】
2008110029.tif 000010
【図９】
2008110029.tif 000011
【図１０】
2008110029.tif 000012
【図１１】
2008110029.tif 000013